(57)【要約】【課題】本考案の目的は、簡単な構造でありながら、強風豪雨下などでも、傘が風に煽られておちょこ状態ならないようにした絞り傘を提供するとともに、絞り傘として使い易さの向上を図ることを目的とするものである。【解決手段】傘の中軸の柄を取り付け、この中軸上にスライド自在となる下ろくろを装着し、この下ろくろには、はじきを嵌入して係止することができる係止孔が穿設され、前記中軸の柄を設けた側の端部に下はじきを取り付け、この下はじき取り付け位置より石突を取り付けた側の中軸上の中間位置に、中間はじきを取り付けたことを特徴とする。【選択図】図１
0003153222.tif 000002
【実用新案登録請求の範囲】
【請求項１】
傘の中軸の柄を取り付け、この中軸上にスライド自在となる下ろくろを装着し、この下ろくろには、はじきを嵌入して係止することができる係止孔が穿設され、前記中軸の柄を設けた側の端部に下はじきを取り付け、この下はじき取り付け位置より石突を取り付けた側の中軸上の中間位置に、中間はじきを取り付けたことを特徴とする絞り傘。
【請求項２】
中間はじきを二箇所に設けたことを特徴とする請求項１記載の絞り傘。
【請求項３】
柄の根元付近に位置する中軸上に、下はじきと中間はじきとを同時に中軸内に没することができる押しボタンを備えたことを特徴とする請求項１又は２記載の絞り傘。
【請求項４】
中軸上の下ろくろ装着位置よりも上方位置に、中軸上をスライド自在となるスペーサー筒を装着し、このスペーサー筒に一端を止着したテグスを、親骨に沿って延伸させて当該親骨の露先まで導き、さらにテグスのその先を傘布の端縁に沿って傘布と一体になるよう延伸させて、隣り合う親骨の露先まで導き、さらにテグスのその先を当該親骨に沿って延伸させてスペーサー筒に止着することで略三角形状のテグスループ線を配設し、このテグスループ線を絞り傘の各親骨間のすべてに配設し、スペーサー筒が下ろくろと連結自在となる連結具を備えたことを特徴とする請求項１乃至３のいずれかに記載の絞り傘。
【考案の詳細な説明】
【技術分野】
【０００１】
本考案は、強風豪雨下などでも、傘が風に煽られておちょこ状態(裏返ること)になって、傘としての雨よけ機能を発揮できなくならないようにした絞り傘に関する。
【背景技術】
【０００２】
従来より、台風来襲時などの強風豪雨下では、傘を全面的に広げた状態で使用していると、突風などに煽られて傘がおちょこ状態になったり、傘骨が折れてしまうような状態になることが頻繁に起きていた。
【特許文献１】実用新案登録第３１１３３３１号公報
【特許文献２】実用新案登録第３０７０９４１号公報
【考案の開示】
【考案が解決しようとする課題】
【０００３】
ところで、上記した従来の絞り傘は、傘布の張り出し先周囲に紐類を施し、その紐類の先端を傘布の周囲に垂下させるように延伸させ、その紐類の先端を引き絞って傘を絞ることで、傘骨と傘骨との間隔を狭くして傘の強度を向上させようとしたり、あるいは傘布の内面に煽り風が当たった際には、傘骨の反転バネで傘骨を反転させて一旦その煽り風を逃がし、その後反転した傘骨を元に戻して使用するというものであった。
【０００４】
上記の従来傘では、傘骨を反転させる際に雨水が身体や持ち物にかかってしまうという不都合があり、また紐類を引き絞る際には、紐類の先端を傘を持つ手ではなく、空いている片方の手で引っ張る必要があったため、どうしても使いにくいという課題があった。
本考案の目的は、簡単な構造でありながら、強風豪雨下などでも、傘が風に煽られておちょこ状態ならないようにした絞り傘を提供するとともに、絞り傘として使い易さの向上を図ることを目的とするものである。
【課題を解決するための手段】
【０００５】
前記課題を解決するために、請求項１に記載の考案は、傘の中軸の柄を取り付け、この中軸上にスライド自在となる下ろくろを装着し、この下ろくろには、はじきを嵌入して係止することができる係止孔が穿設され、前記中軸の柄を設けた側の端部に下はじきを取り付け、この下はじき取り付け位置より石突を取り付けた側の中軸上の中間位置に、中間はじきを取り付けたことを特徴とする絞り傘である。
【０００６】
請求項２に記載の考案は、中間はじきを二箇所に設けたことを特徴とする請求項１記載の絞り傘である。
【０００７】
請求項３に記載の考案は、柄の根元付近に位置する中軸上に、下はじきと中間はじきとを同時に中軸内に没することができる押しボタンを備えたことを特徴とする請求項１又は２記載の絞り傘である。
【０００８】
請求項４に記載の考案は、中軸上の下ろくろ装着位置よりも上方位置に、中軸上をスライド自在となるスペーサー筒を装着し、このスペーサー筒に一端を止着したテグスを、親骨に沿って延伸させて当該親骨の露先まで導き、さらにテグスのその先を傘布の端縁に沿って傘布と一体になるよう延伸させて、隣り合う親骨の露先まで導き、さらにテグスのその先を当該親骨に沿って延伸させてスペーサー筒に止着することで略三角形状のテグスループ線を配設し、このテグスループ線を絞り傘の各親骨間のすべてに配設し、スペーサー筒が下ろくろと連結自在となる連結具を備えたことを特徴とする請求項１乃至３のいずれかに記載の絞り傘である。
【考案の効果】
【０００９】
上記の請求項１乃至３の考案によれば、風雨の強いときに、全開状態の傘を少し絞る方向にするため、下ろくろを中軸上で柄の方向にスライドさせて引き下げると、中間はじき位置で下ろくろの係止孔に中間はじきが嵌入することになり、その位置で傘の絞り状態が安定保持される。
このため、風雨に対する抵抗の強い傘を完成させることができるという効果を発揮する。
【００１０】
さらに、中間はじきを複数備えて、この絞り傘を複数段階に絞り込めるようにしておくと、風雨の強さに応じて、微妙な絞り具合のコントロールが可能となり、さらに使用効果が向上することになる。
【００１１】
また請求項４の考案によれば、絞り傘を絞り込んで場合でも、テグスループ線が常に緊張状態となるため、そのテグスループ線と一体となる傘布の端縁も緊張状態となるので、傘布の端縁がフリーになって風に煽られてバタつくことは防止されるという効果がある。
【考案を実施するための最良の形態】
【００１２】
以下添付図面に基づいて、本考案絞り傘の一実施の形態を詳説するが、本考案はこれらの実施の形態に制限されるものではない。
図１は、本考案に係る絞り傘の、全開状態の正面図であり、図２は同絞り傘の側面図であり、図３は中間はじきを複数備えた絞り傘の全開状態の正面図であり、図４はテグスループ線を配した状態の、絞り傘の内面図（全開状態）であり、図５はテグスループ線を配した状態の、絞り傘の内面図（半閉じ状態）である。
【００１３】
図１及び図２に示されるごとく、本考案の絞り傘１は、中軸２に柄３を取り付け、その中軸２には下ろくろ４がスライド自在に取り付けられている。
この中軸２の柄３を設けた側の端部には、下はじき５が設けられており、この下はじき５の取り付け位置より石突６を取り付けた側の中軸２上の中間位置には、中間はじき７が取り付けられている。
ここで中間位置とは、中軸２の下はじき５取り付け位置と、中軸２の石突６を取り付けた側の端部との間の部分という意味であり、必ずしも中軸２の中央部のみを意味するものではない。
【００１４】
なお、前記の下ろくろ４の上端付近には受け骨８が、その先には親骨９が配設され、その親骨９には傘布１０が張設されている。
また符号１１は、ジャンプ傘として傘を開く際に、下ろくろ４を石突６側へ自動的に円滑に移動させるための戻し用のコイルスプリングであり、同１２は下はじき５と中間はじき７とを同時に中軸２内に没することができる押しボタンであり、同１３は下ろくろ４に穿設した係止孔である。
【００１５】
上記のごとく、中間はじき７は絞り傘１を半閉じして使用したい場合に、下ろくろ４を中軸２の中間位置付近までスライド下降させ、下ろくろ４の係止孔１３に中間はじき７を嵌入させて絞り傘１の半閉じ状態を安定保持させ、その状態から不必要に絞り傘１が全開となったり、あるいは全閉じとならないようにする。
【００１６】
中間はじき７を複数備えた場合には、各中間はじき７位置で半閉じ状態の異なる絞り傘１が完成するので、使用者の好みやや周囲の気象条件などに応じて、自由に選択して使用することができる。また押しボタン１２を押すことで、ワンタッチで絞り傘１の半閉じ状態を、一気に全開状態に戻すことができる。
さらに絞り傘１を全閉じする際には、従来の傘と同様に下ろくろ４を下はじき５の位置までスライド移動させて、下はじき５を下ろくろ４の係止孔１３に嵌入させることになる。
【００１７】
ついで中軸２上の下ろくろ４装着位置よりも上方位置に、中軸２上をスライド自在となるスペーサー筒１４を装着し、このスペーサー筒１４に一端を止着したテグス１５を、親骨９の例えば断面Ｕ字状の凹陥部内に沿って延伸させ、その先を当該親骨９の露先１６まで導くように配設する。さらに当該テグス１５のその先を傘布１０の端縁１９に沿って延伸させて（テグス１と傘布の端縁１９とは、その一部又は全部が一体的になっている）、隣り合う親骨９の露先１６まで導き、さらにテグス１５のその先を当該親骨９に沿って延伸させてスペーサー筒１４に止着することで略三角形状のテグスループ線１７を配設している。このテグスループ線１７は、各親骨９間のすべてに配設されるもので、半閉じ状態の絞り傘において、すべての傘布１０の端縁１９はテグスループ線１７で保持された状態となるので、風が強いときでも、傘布１０の端縁１９が風に煽られてバタつくことは防止される。
【００１８】
またスペーサー筒１４と下ろくろ４間には、掛脱自在の連結具１８、例えばバックル形式のような連結具１８が取り付けられており、この連結具１８が掛着されているときは、下ろくろ４が下方に下がるにつれ、スペーサー筒１４も下ろくろ４と一体的に下方に下がる。このため、絞り傘１を半閉じ状態にすると、テグスループ線１７の根元部が引っ張られるので、傘布１０の端縁１９部分が常に緊張状態を保つこととなり、傘布１０の端縁１９が弛んで風に煽られてバタつくことを防止できる。
【００１９】
一方、絞り傘１を全閉じするような場合には、連結具１８の掛着状態を解除することで、スペーサー筒１４が、不必要に下ろくろ４側に移動しないようにすることができ、テグスループ線１７の不要な緊張状態は生まれない。
本考案では、絞り傘１の親骨９の内部にテグスループ線１７が配設されることで、親骨９の補強にもなるなどの効果も達成できる。
【００２０】
本考案の絞り傘１の傘布１０の素材は、防水性のある素材であればどのようなものでも使用可能であるが、一般的にはポリエステル系繊維やナイロン系繊維などの強度に優れた合成繊維が好適である。
【００２１】
さらに本考案の絞り傘１の形態は、雨傘はもちろん日傘にも応用することができ、さらに折り畳み傘にも応用できるという効果がある。
【産業上の利用可能性】
【００２２】
本考案の絞り傘は、絞り傘としての使い易いものを望む人々、また傘の製造をする現場などにおいて重宝に利用することが可能である。
【図面の簡単な説明】
【００２３】
【図１】本考案に係る絞り傘の、全開状態の正面図であり、図２は同絞り傘の側面図である。
【図２】同絞り傘の側面図である。
【図３】中間はじきを複数備えた絞り傘の全開状態の正面図である。
【図４】テグスループ線を配した状態の、絞り傘の内面図（全開状態）である。
【図５】テグスループ線を配した状態の、絞り傘の内面図（半閉じ状態）である。
【符号の説明】
【００２４】
１ …絞り傘
２ …中軸
３ …柄
４ …下ろくろ
５ …下はじき
６ …石突
７ …中間はじき
８ …受け骨
９ …親骨
１０ …傘布
１１ …コイルスプリング
１２ …押しボタン
１３ …下ろくろの係止孔
１４ …スペーサー筒
１５ …テグス
１６ …親骨の露先
１７ …テグスループ線
１８ …連結具
１９ …傘布の端縁
【図１】
0003153222.tif 000003
【図２】
0003153222.tif 000004
【図３】
0003153222.tif 000005
【図４】
0003153222.tif 000006
【図５】
0003153222.tif 000007